(57)【要約】【課題】室内環境に応じた省エネ制御を行うことにより、省エネ運転を実現するとともに、快適性を満たすことができる空調システムを提供すること。【解決手段】室外機１と室内機２からなる複数の空調機と、この空調機に運転条件を指令するリモコン３と、複数の空調機と通信回線を介して接続される集中管理装置４とを備え、リモコン３は、自己に関わる空調機から出力される空調負荷に相関する状態量を入力して省エネレベルを判断し、その判断結果に基づいて設定温度を切り替えること。【選択図】図１
2010032073.tif 000002
【特許請求の範囲】
【請求項１】
室外機と室内機からなる複数の空調機と、該空調機に運転条件を指令するリモコンと、前記複数の空調機と通信回線を介して接続される集中管理装置とを備えてなる空調システムにおいて、
前記リモコンは、自己に関わる前記空調機から出力される空調負荷に相関する状態量を入力して省エネレベルを判断し、その判断結果に基づいて該リモコンの設定温度を切り替えることを特徴とする空調システム。
【請求項２】
前記リモコンは、前記空調負荷に相関する前記状態量を入力して判断された前記省エネレベルが既定値よりも低いときは、該省エネレベルを引き上げる方向に前記設定温度を切り替えることを特徴とする請求項１に記載の空調システム。
【請求項３】
前記リモコンは、前記空調負荷に相関する前記状態量を入力して判断された前記省エネレベルが前記既定値よりも高い他の既定値を超えているときは、前記省エネレベルを引き下げる方向に前記設定温度を切り替えることを特徴とする請求項２に記載の空調システム。
【請求項４】
前記リモコンに入力される前記空調負荷に相関する状態量とは、自己に関わる前記空調機における前記室内機の負荷運転の継続時間であることを特徴とする請求項１乃至３のいずれかに記載の空調システム。
【請求項５】
前記リモコンに入力される前記空調負荷に相関する状態量とは、自己に関わる前記空調機における前記室外機の平均電流値であることを特徴とする請求項１乃至３のいずれかに記載の空調システム。
【請求項６】
前記リモコンに入力される前記空調負荷に相関する状態量とは、自己に関わる前記空調機における前記室外機の電子膨張弁の開度であることを特徴とする請求項１乃至３のいずれかに記載の空調システム。
【請求項７】
前記リモコンに入力される前記空調負荷に相関する状態量とは、自己に関わる前記空調機における前記室内機の吸込空気の温度と吹出空気の温度との温度差であることを特徴とする請求項１乃至３のいずれかに記載の空調システム。
【発明の詳細な説明】
【技術分野】
【０００１】
本発明は、室外機と室内機からなる複数の空調機を備えた空調システムに係り、特に空調機の省エネ制御に関するものである。
【背景技術】
【０００２】
従来より、室外機と室内機からなる複数の空調機を、通信回線を介して集中管理装置と接続し、これらの空調機を集中制御するようにした空調システムが広く利用されている。
【０００３】
このような空調システムにおいては、近年、温暖化対策として省エネ制御が求められており、例えば、空調機の電力ピークの低減等を目的としたデマンド制御が行われている。しかし、このようなデマンド制御を行うために、空調システムにデマンドコントローラなどの専用設備を備えた場合、小中規模の施設ではオーバースペックとなり、設備費用が高価になるという問題がある。
【０００４】
これに対し、例えば、特許文献１では、集中管理装置が空調機の運転可否条件を設定し、室外機により検出された室外温度や室内機により検出された室内温度と運転可否条件とを照合することにより空調機の運転可否を判定し、この判定結果に基づいて、集中管理装置により各リモコンの操作制限を行うようにした空調システムが開示されている。これによれば、専用設備を追加することなく、既存の集中管理装置を用いて省エネ制御を行うことができるため、設備費用の増加を抑えることができる。
【０００５】
【特許文献１】特開２００３−２７９１１２号公報
【発明の開示】
【発明が解決しようとする課題】
【０００６】
しかしながら、特許文献１に記載のように、集中管理装置からの指令により各リモコンを集中管理する場合、部屋ごとに室内環境が異なるため、例えば、リモコンの設定温度が一方的に制限されることにより、利用者によるリモコン操作が煩雑になり、快適性が損なわれるおそれがある。また、省エネ制御の条件は、冷房や暖房のシーズンごとに異なるため、その都度サービスマンが出向いて集中管理装置の制御条件を設定し直す必要があり、メンテナンスの負担が大きくなるという問題がある。
【０００７】
本発明は、かかる点に鑑みてなされたものであり、室内環境に応じた省エネ制御を行うことにより、省エネ運転を実現するとともに、快適性を満たすことができる空調システムを提供することを課題とする。
【課題を解決するための手段】
【０００８】
本発明は、室外機と室内機からなる複数の空調機と、この空調機に運転条件を指令するリモコンと、複数の空調機と通信回線を介して接続される集中管理装置とを備えてなる空調システムにおいて、リモコンは、自己に関わる空調機から出力される空調負荷に相関する状態量を入力して省エネレベルを判断し、その判断結果に基づいてリモコンの設定温度を切り替えることを特徴とする。
【０００９】
本発明では、例えば、部屋ごとに設置されるリモコンがそれぞれ自己に関わる空調機から出力された信号に基づいて、省エネレベルを自ら判断し、その判断結果に基づいて設定温度を適宜切り替えるようにしているため、利用者がそれぞれ室内環境に応じて設定した設定温度を基準とする省エネ制御を実現することができる。これにより、各部屋において快適性を満たすとともに、省エネ運転を実現することができる。また、それぞれのリモコンによる制御内容は、例えば、集中管理装置を介して共有化することにより、複数の空調機を連携させて制御することもできる。
【００１０】
この場合において、リモコンは、空調負荷に相関する状態量を入力して判断された省エネレベルが既定値よりも低いときは、省エネレベルを引き上げる方向に設定温度を切り替えるようにする。このように状態量ごとに予め既定値を定めておき、その既定値に基づいて省エネレベルを判断するようにすれば、設定温度を切り替える際の判断を容易化することができる。
【００１１】
また、リモコンは、空調負荷に相関する状態量を入力して判断された省エネレベルが既定値よりも高い他の既定値を超えているときは、省エネレベルを引き下げる方向に設定温度を切り替えるようにする。すなわち、省エネ運転が継続することにより、省エネレベルが高くなると、それに伴い、室内の快適性が低下する方向となるため、そのようなときには、省エネレベルを引き下げるように制御することにより、省エネ運転と快適性のバランスを保つことができる。
【００１２】
ここで、リモコンに入力される空調負荷に相関する状態量としては、例えば、自己に関わる空調機における室内機の負荷運転の継続時間、自己に関わる空調機における室外機の平均電流値、自己に関わる空調機における室外機の電子膨張弁の開度、自己に関わる空調機における室内機の吸込空気の温度と吹出空気の温度との温度差とすることができる。
【００１３】
すなわち、これらの状態量と省エネレベルは相関し、具体的には、これらの状態量が大きくなるほど、省エネレベルは減少するため、例えば、これらの状態量を定期的にサンプリングして監視することにより、省エネレベルを判断することができる。
【発明の効果】
【００１４】
本発明によれば、それぞれの空調機が室内環境に応じて自らの判断で設定温度を切り替えて省エネ制御を行うことができるため、省エネ運転と快適性の両方を満足することができる。
【発明を実施するための最良の形態】
【００１５】
以下、本発明を適用してなる空調システムの一実施形態について、図面を用いて詳細に説明する。
【００１６】
図１は、本実施形態の空調システムのブロック図である。図２は、本実施形態の空調システムの室内機におけるセンサの配置構成図、図３は、本実施形態の空調システムの室外機におけるセンサの配置構成図である。
【００１７】
本実施形態の空調システムは、複数の空調機と、集中管理装置４とを備えて構成され、各空調機と集中管理装置４では、通信回線５を介して双方向にデータを送受信可能となっている。また、空調機間においても、通信回線５を介して必要に応じてデータを送受信することが可能となっている。
【００１８】
空調機は、１台の室外機１と、３台の室内機２と、各室内機２を運転するリモコン３を備え、いわゆるマルチ型の空調機を構成している。また、空調機は、冷媒が循環して冷凍サイクルを行う冷媒回路を備え、冷房運転と暖房運転を切り替えられるようになっている。本実施形態では、室内機を３台としているが、これに限られるものではなく、例えば、室外機の能力に応じて室内機の台数を適宜設定することができる。なお、以下の実施形態では、説明を分かり易くするため、各室内機２と各リモコン３が、部屋ごとに１台ずつ設置されているものとする。
【００１９】
図２に示すように、室内機２には、サーミスタ６、サーミスタ７が設けられ、サーミスタ６は室内機の吹出温度を検知し、サーミスタ７は室内機の吸込温度を検知するようになっている。また、室内機２には、リレー接点８，熱交換器９が設けられ、熱交換器９に冷媒が流れて室内機２の運転を開始する、いわゆるサーモオンの状態と、熱交換器９に冷媒が流れずに室内機の運転が停止する、いわゆるサーモオフの状態を、リレー接点８が判定するようになっている。
【００２０】
図３に示すように、室外機１には、熱交換器９、圧縮機１０、電子膨張弁１１が設けられており、電子膨張弁１１には、膨張弁開度を検知する弁開度検知手段が設けられている。また、室外機１には、変流器１２が設けられており、変流器１２により室外機１の電流値が検知されるようになっている。
【００２１】
室内機２においては、サーミスタ６，サーミスタ７，リレー接点８により、それぞれ検知された吹出温度、吸込温度、サーモオン／サーモオフの状態が、電気信号により、室内機２に対応するリモコン３、及び、必要に応じて集中管理装置４にそれぞれ通信回線５を介して出力されるようになっている。
【００２２】
また、室外機１においては、弁開度検出手段，変流器１２により、それぞれ検知された電子膨張弁の開度、室外機１の電流値が、電気信号により、室外機１に対応するリモコン３，及び、必要に応じて集中管理装置４にそれぞれ通信回線５を介して出力されるようになっている。
【００２３】
このようにして構成される空調システムにおいて、各部屋では、リモコン３を利用することにより、利用者が冷房又は暖房運転における希望の設定温度を入力する。また、省エネ運転を行うときは、その旨をリモコン３により入力する。
【００２４】
次に、リモコン３より動作指令を受けた空調機は、室内温度が入力された設定温度となるように、空調運転を開始する。空調運転中においては、空調負荷に相関する状態量が監視され、定期的にサンプリングされた結果がリモコン３に入力される。
【００２５】
すなわち、リモコン３には、室内機２の吹出温度と吸込温度、サーモオン／サーモオフの状態、室外機１の電子膨張弁の開度、電流値などが、それぞれ電気信号として入力され、その入力結果に基づいて、リモコン３は、自己に関わる空調機の省エネレベルが、例えば、省エネ状態、非省エネ状態のいずれの状態であるかを判別する。そして、非省エネ状態であるときには、リモコン３の設定温度を省エネ方向、つまり、暖房運転時は設定温度を下げる方向、冷房・ドライ運転時は設定温度を上げる方向に、それぞれ１℃シフトさせるようにする。一方、過度な省エネ状態であるときには、利用者の快適性を確保するため、省エネ方向とは反対の非省エネ方向に設定温度を１℃シフトさせるようにする。
【００２６】
このように、本実施形態では、リモコン３が、自己に関わる空調機から出力される空調負荷に相関する状態量に基づいて、省エネレベルを自ら判断し、その判断結果に基づいて、リモコン３の設定温度を自動的に切り替えるようにしているため、利用者がそれぞれ室内環境に応じて入力した設定温度を基準として、省エネ制御を行うことができる。これにより、利用者がリモコンを利用して省エネ運転する際の設定変更に関わる操作の煩わしさを解消できるとともに、各部屋の快適性を満たし、利用者の要求に配慮した省エネ運転を実現することができる。
【００２７】
また、本実施形態では、専用設備を導入することなく、室内機２に対応して設けられる既設のリモコン３にこのような省エネ制御を行わせることにより、集中管理装置４の負担を低減するとともに、設備費用を抑えることができる。
【００２８】
なお、本実施形態では、空調機の省エネ制御をそれぞれリモコン３だけで行うようにしているが、リモコン３に入力される各空調機からの信号を、リモコン３とともに集中管理装置４に入力し、集中管理装置４に所定の制御機能をもたせることにより、例えば、集中管理装置４にリモコン３の補助的機能をもたせることも可能である。
【００２９】
（実施の形態１）
以下、本実施の形態の空調システムの省エネ制御において、リモコンが省エネレベルを判断して設定温度を切り替える動作手順の一例について、図４のフローチャートを用いて説明する。
【００３０】
まず、利用者がリモコン３を操作することにより空調機の運転を開始する。このとき、利用者は、室内の環境に応じて任意の設定温度を入力する。空調機の運転開始により、ステップＳ１０１に移行する。
【００３１】
ステップＳ１０１では、リモコン３において省エネモードの入力がされたか否かが判断される。具体的には、省エネモードは、例えば、利用者がリモコン３の釦を入力することにより検知される。ここで、省エネモードであるときには、ステップＳ１０２に進む。
【００３２】
ステップＳ１０２では、室内機２のリレー接点８の動作を監視して、サーモオフの状態からサーモオンの状態に切り替わった瞬間に、サーモオンの継続時間のカウントがリモコン３により実行される。
【００３３】
次に、ステップＳ１０３では、サーモオンの継続時間がＡ分間継続したか否かが判断される。このサーモオンの継続時間の検出は、定期的にリモコン３により判別される。なお、継続時間のＡ分間とは、利用者が設定する省エネ制御水準に基づいて、例えば、弱：１０分、中：６分、強：３分のように自動的に設定される。ここで、サーモオンの継続時間がＡ分間継続したときには、非省エネ状態と判断されて、ステップＳ１０４に進む。
【００３４】
ステップＳ１０４では、非省エネ状態を省エネ方向に移行させるため、暖房運転時では、リモコン３の設定温度を−１℃シフトし、冷房，ドライ運転時では、リモコン３の設定温度を＋１℃シフトさせる。その後は、ステップＳ１０１に戻る。
【００３５】
一方、ステップＳ１０３において、サーモオンの継続時間がＡ分間よりも短いとき、つまり、Ａ分以内にサーモオンからサーモオフに切り替わったときには、ステップＳ１０５に進み、サーモオフの状態に切り替わった瞬間からのサーモオフの継続時間のカウントがリモコン３により実行される。
【００３６】
続いて、ステップＳ１０６では、サーモオフからサーモオンに３分以内で切り替わったか否かが、リモコン３により判断される。ここで、３分以内に切り替わったときには、非省エネ状態と判断されてステップＳ１０４に進む。一方、３分以内に切り替わらないときには、ステップＳ１０７に進み、引き続き、サーモオフからサーモオンに１０分以内で切り替わるか否かが、リモコン３により判断される。
【００３７】
そして、ステップＳ１０７において、１０分以内に切り替わったとき、つまり３分を超えて１０分以内に、サーモオンに切り替わったときには、リモコン３の設定温度を変更せずに、ステップＳ１０１に戻り、１０分以内に切り替わらないときには、過度の省エネ状態と判断して、ステップＳ１０８に進む。
【００３８】
ステップＳ１０８では、過度の省エネ状態を非省エネ方向に移行させるため、暖房運転時では、リモコン３の設定温度を＋１℃シフトし、冷房，ドライ運転時では、リモコン３の設定温度を−１℃シフトさせる。このように、過度の省エネ状態においては、非省エネ方向に設定温度をシフトさせることにより、室内の快適性の低下を抑制することができる。その後は、ステップＳ１０１に戻る。
【００３９】
以上のような判定を一定時間ごとに繰り返すことにより、空調運転を省エネ状態に近づけることができ、又は、省エネ状態を維持することができるため、省エネ効果をもたらすことができる。また、過度な省エネ状態のときには、リモコン３の設定温度を非省エネ方向に切り替えることにより、室内の快適性を保つことができる。
【００４０】
（実施の形態２）
第１の実施の形態では、リレー接点８から出力されるサーモオン／サーモオフの継続時間を用いることにより、リモコン３が省エネレベルを判断していたが、本実施の形態では、室外機１の変流器から出力される電流値を用いて省エネレベルを判断している点で、第１の実施の形態と相違する。以下、本実施の形態の動作手順について、図５のフローチャートを用いて説明する。
【００４１】
まず、利用者がリモコン３を操作することにより空調機の運転を開始する。このとき、利用者は、室内の環境に応じて任意の設定温度を入力する。空調機の運転開始により、ステップＳ２０１に移行する。
【００４２】
ステップＳ２０１では、リモコン３において省エネモードの入力がされたか否かが判断される。ここで、省エネモードであるときには、ステップＳ２０２に進む。
【００４３】
ステップＳ２０２では、室外機１の変流器１２の電流値を監視して、一定時間ごとに電流値をサンプリングし、平均電流値の算出がリモコン３により実行される。
【００４４】
次に、ステップＳ２０３では、最新の平均電流値とその直前の平均電流値とを比較して、直前の平均電流値が最新の平均電流値よりもＢ％以上大きいか否かが判断される。なお、Ｂ％とは、利用者が設定する省エネ制御水準に基づいて、例えば、弱：２０％、中：１０％、強：５％のように自動的に設定される。ここで、直前の平均電流値が最新の平均電流値よりもＢ％以上大きいときには、過度の省エネ状態と判断されて、ステップＳ２０４に進む。
【００４５】
ステップＳ２０４では、過度の省エネ状態を非省エネ方向に移行させるため、暖房運転時では、リモコン３の設定温度を＋１℃シフトし、冷房，ドライ運転時では、リモコン３の設定温度を−１℃シフトさせる。その後は、ステップＳ２０１に戻る。
【００４６】
一方、ステップＳ２０３において、直前の平均電流値が最新の平均電流値よりもＢ％以上大きくないときには、ステップＳ２０５に進み、最新の平均電流値がその直前の平均電流値よりも２０％以上大きいか否かが判断される。ここで、最新の平均電流値がその直前の平均電流値よりも２０％以上大きければ、非省エネ状態と判断して、ステップＳ２０６に進み、最新の平均電流値がその直前の平均電流値よりも２０％以上大きくないときには、リモコン３の設定温度を変更せずにステップＳ２０１に戻る。
【００４７】
ステップＳ２０６では、非省エネ状態を省エネ方向に移行させるため、暖房運転時では、リモコン３の設定温度を−１℃シフトし、冷房，ドライ運転時では、リモコン３の設定温度を＋１℃シフトさせる。その後は、ステップＳ２０１に戻る。
【００４８】
以上のような判定を一定時間ごとに繰り返すことにより、空調運転を省エネ状態に近づけることができ、又は、省エネ状態を維持することができるため、省エネ効果をもたらすことができる。また、過度な省エネ状態のときには、リモコン３の設定温度を非省エネ方向に切り替えることにより、室内の快適性を保つことができる。
【００４９】
（実施の形態３）
第２の実施の形態では、室外機１の変流器１２から出力される電流値を用いることにより、リモコン３が省エネレベルを判断していたが、本実施の形態では、室外機１の電子膨張弁１１の開度を検出する弁開度検出手段から出力される膨張弁開度の値を用いる点で、第２の実施の形態と相違する。以下、本実施の形態の動作手順について、図６のフローチャートを用いて説明する。
【００５０】
まず、利用者がリモコン３を操作することにより空調機の運転を開始する。このとき、利用者は、室内の環境に応じて任意の設定温度を入力する。空調機の運転開始により、ステップＳ３０１に移行する。
【００５１】
ステップＳ３０１では、リモコン３において省エネモードの入力がされたか否かが判断される。ここで、省エネモードであるときには、ステップＳ３０２に進む。
【００５２】
ステップＳ３０２では、室外機１の電子膨張弁１１の膨張弁開度を検出する弁開度検出手段から出力される膨張弁開度を監視して、一定時間ごとに膨張弁開度をサンプリングし、平均膨張弁開度の算出がリモコン３により実行される。
【００５３】
次に、ステップＳ３０３では、最新の平均膨張弁開度とその直前の平均膨張弁開度とを比較して、直前の平均膨張弁開度が最新の平均膨張弁開度よりもＣ％以上大きいか否かが判断される。なお、Ｃ％とは、利用者が設定する省エネ制御水準に基づいて、例えば、弱：２０％、中：１０％、強：５％のように自動的に設定される。ここで、直前の平均膨張弁開度が最新の平均膨張弁開度よりもＣ％以上大きいときには、過度の省エネ状態と判断されて、ステップＳ３０４に進む。
【００５４】
ステップＳ３０４では、過度の省エネ状態を非省エネ方向に移行させるため、暖房運転時では、リモコン３の設定温度を＋１℃シフトし、冷房，ドライ運転時では、リモコン３の設定温度を−１℃シフトさせる。その後は、ステップＳ３０１に戻る。
【００５５】
一方、ステップＳ３０３において、直前の平均膨張弁開度が最新の平均膨張弁開度よりもＣ％以上大きくないときには、ステップＳ３０５に進み、最新の平均膨張弁開度がその直前の平均膨張弁開度よりも２０％以上大きいか否かが判断される。ここで、最新の平均電流値がその直前の平均電流値よりも２０％以上大きければ、非省エネ状態と判断して、ステップＳ３０６に進み、最新の平均膨張弁開度がその直前の平均膨張弁開度よりも２０％以上大きくなければ、リモコン３の設定温度を変更せずに、ステップＳ３０１に戻る。
【００５６】
ステップＳ３０６では、非省エネ状態を省エネ方向に移行させるため、暖房運転時では、リモコン３の設定温度を−１℃シフトし、冷房，ドライ運転時では、リモコン３の設定温度を＋１℃シフトさせる。その後は、ステップＳ３０１に戻る。
【００５７】
以上のような判定を一定時間ごとに繰り返すことにより、空調運転を省エネ状態に近づけることができ、又は、省エネ状態を維持することができるため、省エネ効果をもたらすことができる。また、過度な省エネ状態のときには、リモコン３の設定温度を非省エネ方向に切り替えることにより、室内の快適性を保つことができる。
【００５８】
（実施の形態４）
第３の実施の形態では、室外機１の電子膨張弁の開度を検出する弁開度検出手段から出力される膨張弁開度を用いることにより、リモコン３が省エネレベルを判断していたが、本実施の形態では、室内機２の吹出温度と吸込温度との温度差を用いる点で、第３の実施の形態と相違する。以下、本実施の形態の動作手順について、図７のフローチャートを用いて説明する。
【００５９】
まず、利用者がリモコン３を操作することにより空調機の運転を開始する。このとき、利用者は、室内の環境に応じて任意の設定温度を入力する。空調機の運転開始により、ステップＳ４０１に移行する。
【００６０】
ステップＳ４０１では、リモコン３において省エネモードの入力がされたか否かが判断される。ここで、省エネモードであるときには、ステップＳ４０２に進む。
【００６１】
ステップＳ４０２では、サーミスタ６から出力される室内機２の吹出温度とサーミスタ７から出力される室内機２の吸込温度とを監視して、一定時間ごとに吹出温度と吸込温度をサンプリングし、吹出温度と吸込温度との温度差の算出がリモコン３により実行される。そして、吹出温度と吸込温度との温度差がＤ℃以上であるか否かが判断され、Ｄ℃以上であるときには、非省エネ状態と判断されて、ステップＳ４０３に進む。なお、Ｄ℃とは、利用者が設定する省エネ制御水準に基づいて、例えば、弱：２０℃、中：１５℃、強：１０℃のように自動的に設定される。
【００６２】
次に、ステップＳ４０３では、非省エネ状態を省エネ方向に移行させるため、暖房運転時では、リモコン３の設定温度を−１℃シフトし、冷房，ドライ運転時では、リモコン３の設定温度を＋１℃シフトさせる。その後は、ステップＳ４０１に戻る。
【００６３】
一方、ステップＳ４０２において、吹出温度と吸込温度との温度差がＤ℃未満であるときには、省エネ状態と判断して、ステップＳ４０４に進み、吹出温度と吸込温度との温度差が５℃未満であるか否かが判断される。ここで、吹出温度と吸込温度との温度差が５℃未満であるときには、過度の省エネ状態と判断してステップＳ４０５に進み、吹出温度と吸込温度との温度差が５℃未満でないときには、リモコン３の設定温度を変更せずにステップＳ４０１に戻る。
【００６４】
ステップＳ４０５では、省エネ状態を省エネ方向に移行させるため、暖房運転時では、リモコン３の設定温度を＋１℃シフトし、冷房，ドライ運転時では、リモコン３の設定温度を−１℃シフトさせる。その後は、ステップＳ４０１に戻る。
【００６５】
以上のような判定を一定時間ごとに繰り返すことにより、空調運転を省エネ状態に近づけることができ、又は、省エネ状態を維持することができるため、省エネ効果をもたらすことができる。また、過度な省エネ状態のときには、リモコン３の設定温度を非省エネ方向に切り替えることにより、室内の快適性を保つことができる。
【図面の簡単な説明】
【００６６】
【図１】本発明を適用してなる空調システムの実施の形態のブロック図である。
【図２】本発明を適用してなる空調システムの室内機におけるセンサの配置構成図である。
【図３】本発明を適用してなる空調システムの室外機におけるセンサの配置構成図である。
【図４】本発明を適用してなる空調システムの実施の形態１の省エネ制御の動作手順を説明するフローチャートである。
【図５】本発明を適用してなる空調システムの実施の形態２の省エネ制御の動作手順を説明するフローチャートである。
【図６】本発明を適用してなる空調システムの実施の形態３の省エネ制御の動作手順を説明するフローチャートである。
【図７】本発明を適用してなる空調システムの実施の形態４の省エネ制御の動作手順を説明するフローチャートである。
【符号の説明】
【００６７】
１  室外機
２  室内機
３  リモコン
４  集中管理装置
５  通信回線
６，７  サーミスタ
８  リレー接点
９  熱交換器
１０  圧縮機
１１  電子膨張弁
１２  変流器
【図１】
2010032073.tif 000003
【図２】
2010032073.tif 000004
【図３】
2010032073.tif 000005
【図４】
2010032073.tif 000006
【図５】
2010032073.tif 000007
【図６】
2010032073.tif 000008
【図７】
2010032073.tif 000009